【事件の表示】
　特許第３００１３８３号「乾式置床工法及びそれに用いるユニット支持脚」の請求項１〜５に係る特許に対する特許異議の申立てについて、次のとおり決定する。
【結　論】
　訂正を認める。
　特許第３００１３８３号の請求項１、２に係る特許を取り消す。
【理　由】
第１．手続の経緯
　本件特許第３００１３８３号の請求項１〜５に係る発明は、平成１年８月２９日の特許出願（特願平１−２２４１８３号）の一部を分割して、平成６年１０月２０日に新たな特許出願（特願平６−２７９６９６号）としたものであって、平成１１年１１月１２日にその特許権の設定登録がなされた。
　その後、平成１２年３月３０日に丸岡巧一、平成１２年７月２４日に寺井徳男および小林浄子より、それぞれ全請求項に対し特許異議の申立てがあり、平成１３年１月９日（発送日）に取消理由通知がなされ、その指定期間内である平成１３年３月１２日に特許異議意見書の提出とともに訂正請求がなされたものである。
　　　　　　
　　　　　　
第２．訂正の適否についての判断
　　　　　　
１．訂正の内容
　特許権者が求めている訂正の内容は、以下の（イ）〜（ホ）からなる。
（イ）特許明細書の特許請求の範囲の請求項１を、
「【請求項１】ユニット支持脚群と、床パネルの長辺側長さよりも短い横長根太の少なくとも２箇所に上下調節可能に支持脚を有する根太ユニット群と、床パネル群とを組み合わせて行う乾式置床工法であって、
　上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、
　根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、
　基礎床の床面上に複数のユニット支持脚を所定のピッチで配置し、
　複数の床パネルを、床パネルの壁または間仕切り際に隣接する辺縁部については上記根太ユニットにより支持されるように、一方、他の辺縁部についてはその縁部所定箇所が上記ユニット支持脚により支持され、かつ上記受け板上面の粘着シートにより固定されるように、支持ボルトの上端面が露出するような所定の間隙を介して配置し、
　ユニット支持脚により所定の高さレベルに支持された状態に床パネルを敷設した後、床パネルを根太ユニットの横長根太及びユニット支持脚の受け板に釘打ちして固定することを特徴とする乾式置床工法。」と訂正する。
（ロ）特許明細書の特許請求の範囲の請求項３〜５を削除する。
（ハ）特許明細書の段落【００１０】（特許公報５欄７〜２４行）の記載を、
「【００１０】【課題を解決するための手段】上記目的を達成するために、本発明によれば、ユニット支持脚群と、床パネルの長辺側長さよりも短い横長根太の少なくとも２箇所に上下調節可能に支持脚を有する根太ユニット群と、床パネル群とを組み合わせて行う乾式置床工法であって、上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、基礎床の床面上に複数のユニット支持脚を所定のピッチで配置し、複数の床パネルを、床パネルの壁または間仕切り際に隣接する辺縁部については上記根太ユニットにより支持されるように、一方、他の辺縁部についてはその縁部所定箇所が上記ユニット支持脚により支持され、かつ上記受け板上面の粘着シートにより固定されるように、支持ボルトの上端面が露出するような所定の間隙を介して配置し、ユニット支持脚により所定の高さレベルに支持された状態に床パネルを敷設した後、床パネルを根太ユニットの横長根太及びユニット支持脚の受け板に釘打ちして固定することを特徴とする乾式置床工法が提供される。」と訂正する。
（ニ）特許明細書の段落【００１３】（特許公報５欄４２〜４７行）を削除する。
（ホ）特許明細書の段落【００２８】に記載（特許公報９欄３７行）の「際根太」を、「根太ユニット」と訂正する。
　　　　　　　　　　　　　　
２．訂正の目的の適否、新規事項の有無及び拡張・変更の存否
　訂正事項（イ）は、特許明細書の特許請求の範囲の請求項１に、
（１）これに従属する請求項３及び４に限定されていた事項を加入すると共に、
（２）根太ユニットの横長根太の長さを「床パネルの長辺側長さよりも短い」と、
（３）根太ユニットを「少なくとも隣接する床パネル間に１つの根太ユニットがまたがるように配置し、所定の高さレベルに設置する」と、
（４）床パネルを敷設した後、「床パネルを根太ユニットの横長根太及びユニット支持脚の受け板に釘打ちして固定する」と、
それぞれ限定するものであるから、特許請求の範囲の滅縮を目的とするものといえる。
　訂正事項（ロ）は、特許請求の範囲の滅縮を目的とするものである。
　訂正事項（ハ）〜（ホ）は、請求項の訂正に伴い、対応する発明の詳細な説明の記載を整合させる訂正であって、いずれも明りようでない記載の釈明を目的とするものである。
　そして、訂正事項（イ）〜（ホ）はいずれも、新規事項には該当しないし、実質上特許請求の範囲を拡張し又は変更するものではない。
　　　　　　　　　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　
　　　　
第３．特許異議申立てについて
　　　　　　　　
１．本件訂正発明
　上記「第２．訂正の適否についての判断」で示したように、訂正が認められるから、本件特許第３００１３８３号の請求項１及び２に係る発明は、訂正明細書の特許請求の範囲の請求項１及び２に記載された次のとおりのものである。（以下、「本件訂正発明１及び２」という）
「【請求項１】ユニット支持脚群と、床パネルの長辺側長さよりも短い横長根太の少なくとも２箇所に上下調節可能に支持脚を有する根太ユニット群と、床パネル群とを組み合わせて行う乾式置床工法であって、
　上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、
　根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、
　基礎床の床面上に複数のユニット支持脚を所定のピッチで配置し、
　複数の床パネルを、床パネルの壁または間仕切り際に隣接する辺縁部については上記根太ユニットにより支持されるように、一方、他の辺縁部についてはその縁部所定箇所が上記ユニット支持脚により支持され、かつ上記受け板上面の粘着シートにより固定されるように、支持ボルトの上端面が露出するような所定の間隙を介して配置し、
　ユニット支持脚により所定の高さレベルに支持された状態に床パネルを敷設した後、床パネルを根太ユニットの横長根太及びユニット支持脚の受け板に釘打ちして固定することを特徴とする乾式置床工法。
【請求項２】前記ユニット支持脚の支持ボルトが、上端面に溝部を有しており、床パネル敷設後、床パネル間の間隙を通して回転工具先端を前記支持ボルト上端面の溝部に嵌め込み、支持ボルトを回転させることによってユニット支持脚の受け板の高さを調節し、敷設された床パネルの高さレベルを一定にする請求項１に記載の乾式置床工法。」
　　　　　　　　　
２．取消理由の概要
　取消理由通知は、
　刊行物１（特公昭６１−６０９４５号公報、異議申立人丸岡巧一の提出した甲第１号証、同寺井徳男の提出した甲第１号証、同小林浄子の提出した甲第４号証）、
　刊行物２（特開昭５７−１５７６６号公報、異議申立人丸岡巧一の提出した甲第５号証、同寺井徳男の提出した甲第２号証）、
　刊行物３（実公昭５７−１４２７７号公報、異議申立人丸岡巧一の提出した甲第６号証、同寺井徳男の提出した甲第３号証、同小林浄子の提出した甲第６号証）
を引用し、訂正前の本件請求項１〜５に係る発明は、刊行物１〜３に記載の発明に基づいて、それぞれ当業者が容易に発明をすることができたものであり、その特許は、特許法第２９条第２項の規定に違反してなされたものであるので、取り消すべきものであるとしている。
　　　　　　　
３．引用刊行物記載の発明
　刊行物１（特公昭６１−６０９４５号公報）には、浮床用支持装置に関して、特に以下（１）〜（３）の記載がある。
（１）「４枚のパネル状床部材Ｐ・・・の角部を突合わせ状態で載置支持する載置面を備えた支持部材１と、前記支持部材１に連設され、上下貫通状態の雌ねじ孔を形成したボス部８と、前記雌ねじ孔に螺合され、上端側に回転操作具に対する係合部５ａを形成した雄ねじ部材５と、構造用床版Ｂ上に載置され、前記雄ねじ部材５の下端側に回動自在に支承する台座６とから成り、前記支持部材１の載置面上面側からの回転操作具の操作によつて前記雄ねじ部材５を螺進し、支持部材１と構造用床版Ｂとの間の高さを調整するように構成してある浮床用支持装置において、前記支持部材１の載置面に、前記パネル状床部材Ｐ・・・の相隣る対向端縁ｔ，ｔ間の夫々に介在して、これら対向端縁ｔ，ｔ同志間に小間隙を残す状態で４枚のパネル状床部材Ｐ・・・の相対位置を接当規制する突部４を付設するとともに、前記ボス部８を前記載置面よりも上方に突出させ、前記ボス部８の上端面と前記突部４の上端面との夫々を、支持部材１に載置支持された前記パネル状床部材Ｐ・・・の上面よりも低い位置に位置させてあることを特徴とする浮床用支持装置。」（１欄特許請求の範囲１）
（２）「第１図のように４枚のパネル状床部材Ｐを構造用床版Ｂの上方に水平姿勢で支持させるに、４枚の床部材Ｐ・・・の角部を突合せ状態で載置支持する支持部材１と、この支持部材１と前記床版Ｂとの間に介在される防振材２付き高さ調整具３とを備えた支持部材Ａを用いるのであるが、第２図、第３図に示すようにその支持部材１の載置面に、その角部を突合せ状態で載置される４枚の床部材Ｐ・・・の相隣る対向端縁ｔ，ｔに対しこれら対向端縁ｔ，ｔ同志間に小間隙を残す状態に当接可能な突部４を、その上端が支持部材１に載置支持されている床部材Ｐ，Ｐの上面よりも低く位置する状態に付設してある。」（５欄１２〜２４行）
（３）「支持部材１と床部材Ｐとの連結は、支持部材１に形成したビス孔１０を通じてのビス止めによることを基本とするが、接着剤の併用若しくは接着剤単独にて連結してもよい。・・・・・第８図のように支持部材１上に両面粘着テープ１３をおき、その適所の穴に瞬間接着剤ｂを入れて床部材Ｐを載置し、粘着テープ１３にて一時的な結合を図り、接着剤ｂによつて恒久的な結合を図ることなどがあげられる。」（６欄１９〜３５行）
　　　　　　　　　　
　これらの記載と図面からみて、刊行物１には、次の発明が記載されていると認める。かっこ内は対応する刊行物１記載の構成である。
　「ユニット支持脚群（複数の支持部材Ａ）と床パネル群（複数のパネル状床部材Ｐ）とを組み合わせて行う乾式置床工法（浮床工法）であって、
　上記ユニット支持脚（支持部材Ａ）として、略中央部の孔部にナット部材（雌ねじ孔を形成したボス部８）が取り付けられた（連接された）受け板（支持部材１）と、上部ねじ部が上記受け板（支持部材１）のナット部材（雌ねじ孔を形成したボス部８）に螺合される支持ボルト（雄ねじ部材５）と該支持ボルト（雄ねじ部材５）の下端部を支承する台座（台座６）とからなる棒状脚部（高さ調整具３）とから構成され、上記支持ボルト（雄ねじ部材５）の上端部に受け板（支持部材１）が上下調節可能に装着されており、かつ該受け板（支持部材１）の上面に粘着シート（両面粘着テープ１３）が貼着されたユニット支持脚（支持部材Ａ）を用い、
　基礎床の床面（構造用床版Ｂ）上に複数のユニット支持脚（支持部材Ａ）を所定のピッチで配置し、
　複数の床パネル（パネル状床部材Ｐ）を、その縁部所定箇所が上記ユニット支持脚（支持部材Ａ）により支持され、かつ上記受け板（支持部材１）上面の粘着シート（両面粘着テープ１３）により固定されるように、支持ボルト（雄ねじ部材５）の上端面が露出するような所定の間隙を介して配置し、
　ユニット支持脚（支持部材Ａ）により所定の高さレベルに支持された状態に床パネル（パネル状床部材Ｐ）を敷設した後、床パネル（パネル状床部材Ｐ）をユニット支持脚（支持部材Ａ）の受け板（支持部材１）に固定（ビス止め又は接着剤にて連結）する乾式置床工法（浮床工法）。」（以下、「刊行物発明Ａ」という）
　「前記ユニット支持脚（支持部材Ａ）の支持ボルト（雄ねじ部材５）が、上端面（上端側）に溝部（係合部５ａ）を有しており、床パネル（パネル状床部材Ｐ）敷設後、床パネル（パネル状床部材Ｐ）間の間隙を通して回転工具（回転操作具）先端を前記支持ボルト（雄ねじ部材５）上端面（上端側）の溝部（係合部５ａ）に嵌め込み、支持ボルト（雄ねじ部材５）を回転（螺進）させることによってユニット支持脚（支持部材Ａ）の受け板（支持部材１）の高さを調節し、敷設された床パネル（パネル状床部材Ｐ）の高さレベルを一定にする刊行物発明Ａ」（以下、「刊行物発明Ｂ」という）
　　　　　　　　　　　
　刊行物２（特開昭５７−１５７６６号公報）には、置床工法に関して、特に以下（４）〜（６）の記載がある。
（４）「スラブ基盤上にレベル調整可能な支持脚を有する床下地材を配列し、水平レベルを調整した後に該床下地材表面上に固定板を一様に載置し、これらを相互に止着してなる置床工法において、スラブ基盤を区画する周壁に隣接して前記支持脚の複数本を略々直線状に備えた長尺床下地材（Ａ）を配列し、スラブ基盤中央の空域には前記支持脚を４本以上備えた方形床下地材（Ｂ）を配列することを特徴とする置床工法。」（１頁左下欄特許請求の範囲）
（５）「本発明においては例示したようなレベル調整可能な支持脚６を略々直線状に備えた長尺床下地材Ａ（第４図）とこの支持脚を４本以上備えた方形床下地材Ｂとをもってスラブ基盤上にこれらを配列してなるものである。第３図は本発明の置床工法の一例を示す床下地材Ａ，Ｂの配列平面図であって、壁１２にて囲まれたスラブ基盤１３上において、壁１２に隣接して長尺床下地材Ａを配列する。この床下地材Ａは適当な長さに切り出して壁１２の長さに合せるものである。従って、施工現場においてその必要長さに合せて切断すれば良いことになる。一方、方形の床下地材Ｂは残りのスラブ基盤１３の空域に配列したものであって、図面においては互いに床下地材Ｂを接した状態で配列してあるが、これを一定の間隔を隔てて配列することもでき、配列の方法は任意である。前記した長尺床下地材Ａにおいては、支持脚は所望の間隔をもって略々直線状に備えられるものであり、第４図にその斜視図を示すが、交互に遊孔２をずらして備えれば自立性のよいものとなる。かかる床下地材Ａは望ましくは両面テープ等にて壁１２に仮止めして施工に供するのが好ましい。」（２頁右上欄１１行〜左下欄１３行）
（６）「本発明は、このように配列した床下地材Ａ及びＢの表面をレベル調整し、その後固定板（第５図中１４で示す）を床下地材Ａ，Ｂの表面上に載置し、これを任意の手段で止着して一体化してなるものである。必要であればこの表面に更に仕上材（図示せず）を敷設してもよい。」（２頁右下欄１〜６行）
　また、第３〜５図には、「長尺床下地材Ａは、横長根太の少なくとも２箇所に上下調節可能に支持脚６を有し、所定の高さレベルに設置され、固定板１４の壁１２際に隣接する辺縁部については該長尺床下地材Ａにより支持されていること。」が記載されていると認める。
　　　　　　　　　　　　　　　
　これらの記載と図面からみて、刊行物２には、次の技術事項が記載されていると認める。かっこ内は対応する刊行物２記載の構成である。
「横長根太の少なくとも２箇所に上下調節可能に支持脚を有する根太ユニット（長尺床下地材Ａ）を用い、根太ユニット（長尺床下地材Ａ）を壁際にそって（隣接して）配置し、所定の高さレベルに設置すると共に、複数の床パネル（固定板１４）を、床パネル（固定板１４）の壁際に隣接する辺縁部については上記根太ユニット（長尺床下地材Ａ）により支持されるように配置し、床パネル（固定板１４）を根太ユニット（長尺床下地材Ａ）の横長根太に固定（任意の手段で止着して一体化）する乾式置床工法（置床工法）」
　　　　　　　　　　　　  
　刊行物３（実公昭５７−１４２７７号公報）には、根太組置床構造に関して、特に以下の記載がある。
（７）「第２図は本考案の根太組置床構造の平面図であつて、１０は部屋を区画する周辺部材としての壁を示し、１１はこの壁１０に対置された根太材であつて、これにて表面板７の敷設面の外周を形成する。そしてこの外周形成根太材の中の相対向する一対の根太材１１間に裏側にレベル調整装置１３を備えた様方向の根太材１２を固設する。図においては横方向の根太材１２と並列の外周を形成せる根太材１１´にも同様にレベル調整装置１３を備えた場合を示した。この外周を形成する根太材１１，１１´にはその外側面にゴム、合成樹脂等で作られた板状の緩衝材１４を装着して壁１０と根太材１１間の衝撃等を緩和する作用を行なわせる。」（３欄２４〜３６行）
　　　　　　　
　この記載と図面からみて、刊行物３には、
「レベル調整装置１３を備えた根太材１１´を壁１０に隣接して配置し、根太材１１´と壁１０との間に緩衝材１４を配置した根太組置床構造。」が記載されていると認める。
　　　　　　　　　　　　　
４．対比・判断
（本件訂正発明１について）
　本件訂正発明１と刊行物発明Ａとを比較すると、両者は、
「ユニット支持脚群と、床パネル群とを組み合わせて行う乾式置床工法であって、
　上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、
　基礎床の床面上に複数のユニット支持脚を所定のピッチで配置し、
　複数の床パネルを、その縁部所定箇所が上記ユニット支持脚により支持され、かつ上記受け板上面の粘着シートにより固定されるように、支持ボルトの上端面が露出するような所定の間隙を介して配置し、
　ユニット支持脚により所定の高さレベルに支持された状態に床パネルを敷設した後、床パネルをユニット支持脚の受け板に固定する乾式置床工法。」である点で一致しており、以下の点で相違している。
　　　　　　　　
　相違点（１）：本件訂正発明１は、「床パネルの長辺側長さよりも短い横長根太の少なくとも２箇所に上下調節可能に支持脚を有する根太ユニット群を用い、根太ユニットを壁または間仕切り際にそって、かつ少なくとも隣接する床パネル間に１つの根太ユニットがまたがるように配置し、所定の高さレベルに設置すると共に、複数の床パネルを、床パネルの壁または間仕切り際に隣接する辺縁部については上記根太ユニットにより支持されるように配置する」のに対して、刊行物発明Ａは、かかる事項を具備していない点。
　相違点（２）：本件訂正発明１は、「根太ユニットの横長根太と壁または間仕切りとの間を緩衝材を介して接着する」のに対して、刊行物発明Ａは、かかる事項を具備していない点。
　相違点（３）：本件訂正発明１は、「床パネルを根太ユニットの横長根太及びユニット支持脚の受け板に釘打ちして固定する」のに対して、刊行物発明Ａは、根太ユニットを具備せず、また、床パネルをユニット支持脚の受け板にビス止め又は接着剤により固定している点。
　　　　
　上記相違点について以下検討する。
　相違点（１）について
刊行物２には、相違点（１）に係る本件訂正発明１の構成のうちの「横長根太の少なくとも２箇所に上下調節可能に支持脚を有する根太ユニットを用い、根太ユニットを壁際にそって配置して所定の高さレベルに設置すると共に、複数の床パネルを、床パネルの壁際に隣接する辺縁部については上記根太ユニットにより支持されるように配置する」ことが記載されている。
　そして、相違点（１）に係る本件訂正発明１の構成のうちの残りの、横長根太が「床パネルの長辺側長さよりも短い」ことは、床パネルを支持する機能を果たす範囲で横長根太の材料を節約することでもあり、当業者が通常行っている単なる設計変更にすぎない。
　また、同じく「少なくとも隣接する床パネル間に１つの根太ユニットがまたがるように配置する」ことは、床パネルの長辺側長さよりも短い横長根太で床パネルを支持するために、当業者が適宜なし得る設計事項にすぎない。
　よって、相違点（１）に係る本件訂正発明１の構成は、刊行物２記載の技術事項に基づいて当業者が容易に想到できることにすぎない。
　　      
　相違点（２）について
刊行物３には、「レベル調整装置１３を備えた根太材１１´を壁１０に隣接して配置し、根太材１１´と壁１０との間に緩衝材１４を配置した根太組置床構造。」が記載されており、相違点（２）に係る本件訂正発明１の構成は、刊行物３記載の技術事項に基づいて、当業者が容易に付加できる設計事項にすぎない。
　　　　　　　　　　   
　相違点（３）について
刊行物２には、「床パネルを根太ユニットの横長根太に固定（任意の手段で止着して一体化）する乾式置床工法」が記載されており、止着一体化の任意の手段として、釘打ちによることは、当業者であれば、普通に想到し得ることにすぎない。
  また、固定手段として釘打ちによるかビス止め又は接着剤によるかは、本件出願前、それぞれ普通に採用されていたことであり、単なる慣用手段の変更にすぎない。
　よって、相違点（３）に係る本件訂正発明１の構成は、刊行物２記載の技術事項に基づいて当業者が容易に想到できることにすぎない。
　　　　　　　　　　　
　以上を総合判断すると、本件訂正発明１は、刊行物１〜３記載の発明に基づいて当業者が容易に発明をすることができたものである。
　　　　　　　　　　　　
（本件訂正発明２について）
　本件訂正発明１を引用する本件訂正発明２と、刊行物発明Ａを引用する刊行物発明Ｂとを比較すると、両者は前記相違点（１）〜（３）で相違するほかは実質上の差異が認められない。相違点（１）〜（３）についての判断は既述のとおりである。
　したがって、本件訂正発明２は、刊行物１〜３記載の発明に基づいて当業者が容易に発明をすることができたものである。
　　　　　　　　　
５．むすび
　以上のとおり、本件訂正発明１及び２は、特許法第２９条第２項の規定により、特許を受けることができない。
　したがって、本件訂正発明１及び２に係る特許は、拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月８日（２００２．３．８）
【訂正の要旨】
　訂正の要旨
１．特許請求の範囲の減縮を目的として、
（１）特許明細書の特許請求の範囲の請求項１を、
「【請求項１】ユニット支持脚群と、床パネルの長辺側長さよりも短い横長根太の少なくとも２箇所に上下調節可能に支持脚を有する根太ユニット群と、床パネル群とを組み合わせて行う乾式置床工法であって、上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、基礎床の床面上に複数のユニット支持脚を所定のピッチで配置し、複数の床パネルを、床パネルの壁または間仕切り際に隣接する辺縁部については上記根太ユニットにより支持されるように、一方、他の辺縁部についてはその縁部所定箇所が上記ユニット支持脚により支持され、かつ上記受け板上面の粘着シートにより固定されるように、支持ボルトの上端面が露出するような所定の間隙を介して配置し、ユニット支持脚により所定の高さレベルに支持された状態に床パネルを敷設した後、床パネルを根太ユニットの横長根太及びユニット支持脚の受け板に釘打ちして固定することを特徴とする乾式置床工法。」と訂正する。
（２）特許明細書の特許請求の範囲の請求項３〜５を削除する。
２．上記請求項の訂正と整合させるため、明りようでない記載の釈明を目的として、
（１）特許明細書の段落【００１０】（特許公報５欄７〜２４行）の記載を、
「【００１０】
　【課題を解決するための手段】
　上記目的を達成するために、本発明によれば、ユニット支持脚群と、床パネルの長辺側長さよりも短い横長根太の少なくとも２箇所に上下調節可能に支持脚を有する根太ユニット群と、床パネル群とを組み合わせて行う乾式置床工法であって、上記ユニット支持脚として、略中央部の孔部にナット部材が取り付けられた受け板と、上部ねじ部が上記受け板のナット部材に螺合される支持ボルトと該支持ボルトの下端部を支承する台座とからなる棒状脚部とから構成され、上記支持ボルトの上端部に受け板が上下調節可能に装着されており、かつ該受け板の上面に粘着シートが貼着されたユニット支持脚を用い、根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、基礎床の床面上に複数のユニット支持脚を所定のピッチで配置し、複数の床パネルを、床パネルの壁または間仕切り際に隣接する辺縁部については上記根太ユニットにより支持されるように、一方、他の辺縁部についてはその縁部所定箇所が上記ユニット支持脚により支持され、かつ上記受け板上面の粘着シートにより固定されるように、支持ボルトの上端面が露出するような所定の間隙を介して配置し、ユニット支持脚により所定の高さレベルに支持された状態に床パネルを敷設した後、床パネルを根太ユニットの横長根太及びユニット支持脚の受け板に釘打ちして固定することを特徴とする乾式置床工法が提供される。」と訂正する。
（２）特許明細書の段落【００１３】（特許公報５欄４２〜４７行）を削除する。
（３）特許明細書の段落【００２８】に記載（特許公報９欄３７行）の「際根太」を、「根太ユニット」と訂正する。
（５４）【発明の名称】
乾式置床工法及びそれに用いるユニット支持脚
（５７）【特許請求の範囲】
　【請求項１】　ユニット支持脚群と
、床パネルの長辺側長さよりも短い横長根太の少なくとも２箇所に上下調節可能に支持脚を有する根太ユニット群と、
根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、
床パネルの壁または間仕切り際に隣接する辺縁部については上記根太ユニットにより支持されるように、一方、他の辺縁部については
した後、床パネルを根太ユニットの横長根太及びユニット支持脚の受け板に釘打ちして固定
　【請求項２】　前記ユニット支持脚の支持ボルトが、上端面に溝部を有しており、床パネル敷設後、床パネル間の間隙を通して回転工具先端を前記支持ボルト上端面の溝部に嵌め込み、支持ボルトを回転させることによってユニット支持脚の受け板の高さを調節し、敷設された床パネルの高さレベルを一定にする請求項１に記載の乾式置床工法。
【発明の詳細な説明】
　【０００１】
　【産業上の利用分野】
　本発明は、集合住宅等の各種建物において既存の基礎床面との間に空間を形成して二重床を施工する乾式置床工法及びそれに使用するユニット支持脚に関する。
　【０００２】
　【従来の技術】
　従来の置床工法は、床支持部材上に床パネル材を隙間なく固着したものを基礎床面上に配置し、あるいはこの上に捨て張り合板を張るものであり、部屋の設計によって床パネル材の切断、加工が必要となってくる。
　しかし他方では、集合住宅において床衝撃音対策など居住性を向上させ、床パネル材の加工の少ない乾式置床工法が増加しつつある。
　【０００３】
　従来の乾式置床工法は、図１２に示すように、正方形（又は長方形）の定寸の床パネル１の四隅及び中央部に支持脚２を４〜６箇所ほど取り付けた床ユニット３を使用するもので、この床ユニット３を図１３に示すように基礎床（コンクリートスラブ）４上に置き並べ、その上に、捨て張り合板５を敷き詰めるものである。符号８は壁（又は間仕切り）を示す。別の工法においては、図１４に示すように、床パネル１を二枚重ねに接合し、床パネルを重ね合わせない側にのみ支持脚２を取り付けた床ニット３ａを使用し、床ユニット３ａを隣り合わせて継ぎ合わせる際に、一方の床ユニットの支持脚の取り付けられていない側を他方の床ユニットの支持脚取付部に載置することも行われている。この場合にも、その上には捨て張り合板を敷き詰めるものである。
　【０００４】
　これらの床ユニットの床パネルは数種の寸法規格のものが用意され、施工の際にそれらを現場の部屋に合わせて組み合わせるか、一種類の寸法の床ユニットで施工し、サイズの合わない箇所の床パネルは現場で加工して施工するようになっていた。
　上記工法では、壁または間仕切り８に近い床ユニット３（３ａ）は、図１３に示すように、床ユニット３（３ａ）の側面が壁または間仕切り８から適当な間隔ｄを置くように配置されるため、支持脚２から張り出した床パネル１の部分と、その上に配置されてさらにそこから張り出した捨て張り合板５の部分は構造的に強度が弱くなる。このように敷設された床上に、特に壁や間仕切り８の近くに重量のある家具を置いた場合、その部分の床が沈み込んでしまうという問題が発生した。
　【０００５】
　これの一つの対策としては、図１５に示すように、壁または間仕切り８に必要な床高の位置で際根太９を釘１７等を用いて横から固定し、それを支持する束１６を適当な間隔をもって基礎床（コンクリートスラブ）４と際根太９の間に挿入して固定する方法が提案されている。このように設置された際根太９の上に壁または間仕切り８から少しはなして床パネル７を載置して釘１７で固定し、床パネルの他方（図示されていない）を床ユニット等で支えるようになる。床パネルの上には捨て張り合板を敷き詰める。
　このような乾式置床工法での際根太施工によれば、壁または間仕切り際の床の強度が強くなり、重量のある家具等を置いても床が沈み込んだりする問題は発生しにくい。また、床ユニットの支持脚の必要数が減り、コストも低く抑えられるとされている。
　【０００６】
　【発明が解決しようとする課題】
　前記した従来工法で使用する床パネルは、ほとんどが正方形状で、面積は１ｍ２以下である。これらは、例えば９００ｍｍ〜９１０ｍｍ×１８００ｍｍ〜１８２０ｍｍを定尺とする合板またはパーティクルボードを切断して前記形状とするものである。この大きさの床パネルで構成される床ユニットでは、１回に置く面積がほとんど１ｍ２以下であり、広い部屋に置床する場合には数多くの床ユニットを使用しなければならない。また、床ユニットを敷きつめて、部屋の隅等で床ユニットが入らない部分については、一部を切断した床パネルを使用するが、その場合支持脚のない部分ができて、不安定な状態になるのは免れない。さらに施工性に劣ったものとなり、工期も長期化してしまう。
　【０００７】
　また、前記した乾式置床工法において、壁または間仕切り際に際根太施工をする場合、壁または間仕切りがコンクリート等の硬いものである場合には、際根太の取り付けば必ずしも簡単に行うことができない。特にその高さの調節に非常に手間がかかり、根太の加工や束の加工は全て現場にて行わなければならないために、工期が長くなったり、人件費の上昇に伴い逆にコストが上がってしまうようになった。
　【０００８】
　また、現在問題になっている床衝撃音に対しても、壁に際根太を介して床パネルを固定するために、そこを介して振動が伝達し、階下へ床衝撃音を伝えてしまうという問題も発生する。
　【０００９】
　本発明は、前記した従来技術の問題を解決すべくなされたもので、その目的とするところは、定尺の床パネルとユニット支持脚を使用し、床パネルを極めて簡単にしかも作業性、安定性よく敷設することができ、工期を大幅に短縮できる乾式置床工法及びそれに使用されるユニット支持脚を提供することにある。また、床パネルの加工の回数を減らして施工を効率化し、施工費を節減できる乾式置床工法を提供することにある。
　本発明の他の目的は、上記乾式置床工法において、際根太施工時の根太や束の現場での加工の廃止、床高の調節作業の容易化、簡略化等により施工性の向上と施工費の節減を図り、さらに壁または間仕切り際の床強度の確保、床衝撃音の低減を図ることのできる乾式置床工法を提供することにある。
　【００１０】
　【課題を解決するための手段】
　上記目的を達成するために、本発明によれば、ユニット支持脚群と
、床パネルの長辺側長さよりも短い横長根太の少なくとも２箇所に上下調節可能に支持脚を有する根太ユニット群と、
根太ユニットを壁または間仕切り際にそって、かつ少なくとも隣接する床パネル間に１つの根太ユニットがまたがるように配置し、該根太ユニットの横長根太と壁または間仕切りとの間を緩衝材を介して接着して所定の高さレベルに設置すると共に、
床パネルの壁または間仕切り際に隣接する辺縁部については上記根太ユニットにより支持されるように、一方、他の辺縁部については
した後、床パネルを根太ユニットの横長根太及びユニット支持脚の受け板に釘打ちして固定
　【００１１】
　敷設された床パネルの床面レベルの調節は、好適には、前記ユニット支持脚として、略中央部の孔部にナット部材が取り付けられた受け板と、上部ねじ部が上記受け板のナット部材に螺合され、かつ上端面に溝部を有する支持ボルトと該支持ボルトの下端部を支承する台座とからなる棒状脚部とから構成されるユニット支持脚を用い、床パネル敷設後、床パネル間の間隙を通して回転工具先端を上記支持ボルト上端面の溝に嵌め込み、支持ボルトを回転させることによってユニット支持脚の受け板の高さを調節し、敷設された床パネルの高さレベルを一定にする。
　【００１２】
　一つの態様においては、上記床パネルは通常の規格の定尺長方形の板材をそのまま切断することなく使用し、必要に応じてこの長方形パネルの短辺中心線上に例えば長辺３分の一の長さのピッチで２個所の孔（透孔）をあけ、この部分とパネル縁部に同じピッチ間隔をとった部分をユニット支持脚の取り付け部とする。
　【００１４】
　【発明の作用】
　本発明の乾式置床工法は、ユニット支持脚群と床パネル群とを組み合わせて行う乾式置床工法であって、上記ユニット支持脚として、棒状脚部と該棒状脚部の上端部に上下調節可能に装着された受け板とからなり、かつ該受け板の上面に粘着シートが貼着されたユニット支持脚を用い、基礎床の床面上に複数のユニット支持脚を床パネルの形状、大きさに応じて所定のピッチで配置し、複数の床パネルを、その縁部所定箇所が上記ユニット支持脚により支持され、かつ上記受け板上面の粘着シートにより固定されるように、棒状脚部の上端面が露出するような所定の間隙を介して配置し、ユニット支持脚により所定の高さレベルに支持された状態に床パネルを敷設するものである。このため、床パネルを極めて簡単にしかも作業性よく敷設することができ、工期を大幅に短縮できる。また、各床パネルはその縁部の複数箇所でユニット支持脚により支持され、かつ上記受け板上面の粘着シートにより固定しながら敷設されるものであるため、安定性よく床パネルを敷設できると共に、必要かつ十分な床強度を保持できる。さらに、床パネルの床面レベルの調節は、床パネル敷設後も、床パネル間の間隙を通して回転工具先端を上記棒状脚部の支持ボルト上端面の溝部に嵌め込み、支持ボルトを回転させることによってユニット支持脚の受け板の高さを調節することにより行われ、極めて簡単な作業によって敷設された床パネルの高さレベルを一定に調整することができる。
　【００１５】
　また、定尺長方形の板材を用いる場合には、板材を切断することなくそのまま使用し、２個所の円形孔明けのみで床パネルの加工が簡単に行える。このような床パネルを用いる場合、床パネルの面積が従来の床ユニットの倍あることにより、同じ部屋の面積を半分の手間で置床施工できる。また、ユニット支持脚を短いピッチ（４５０ｍｍ〜６００ｍｍ）で配置することにより、床パネルを安定に支持できる。
　【００１６】
　また根太施工において、横長根太の複数個所に上下に調節可能な支持脚を有する根太ユニットを使用することにより、根太の高さの調節が簡単になると共に、根太の壁または間仕切りへの取り付けが容易となる。この際、根太ユニットの横長根太と壁または間仕切りとの間に緩衝材を介在させることにより、階下または隣室への床衝撃音の伝達を緩和できる。
　【００１７】
　【実施例】
　以下、実施例について図面を参照しながら説明する。
　図２は本発明の置床工法で使用する床パネルの一例の平面図である。この床パネル７は通常の規格であるタテ９００ｍｍ〜９１０ｍｍ、１８００ｍｍ〜１８２０ｍｍの定尺長方形の合板またはパーティクルボードをそのまま使用し、パネルの短辺の中心線上２個所に約６００ｍｍピッチで単純な円形孔６を孔明け加工したものである。
　【００１８】
　図３は本発明で用いるユニット支持脚の一例を示している。ユニット支持脚１０は、ゴム等の弾性材料からなる防振台座１２に下端部が支承された支持ボルト１１ａからなる棒状脚部１１と、中央部にナット（図示せず）が嵌合された挿入孔１４を有し、かつ上面に粘着シート１３ａが貼着された受け板１３とから構成される。受け板１３のねじ部（挿入孔１４に嵌合されたナット）に棒状脚部１１の支持ボルト１１ａの上部ねじ部がねじ込まれ、図３に示すようにユニット支持脚１０が組み立てられる。なお、支持ボルト１１ａの上端面にはマイナス溝１５（プラス溝や多角形凹陥部でもよい）が設けられており、該溝１５にドライバー等の回転用工具の先端を嵌め込んで棒状脚部１１の支持ボルト１１ａを回転させることにより、支持ボルト１１ａの上部ねじ部にその挿入孔ねじ部が螺合された受け板１３が上下動し（受け板にはその上に載置される床パネルの荷重がかかり、回転できないため）、受け板１３により支持されている床パネルの床面レベルを調整することができる。
　【００１９】
　図４は図２に示す床パネルの配置形態を示すものである。上記床パネル７を支持ボルト１１ａの直径に相当する程度の所定の間隙ｄをあけて配置し、ユニット支持脚１０により床パネル７の端縁部を支持する。
　【００２０】
　現場では、図１に示すように部屋壁８の所定の高さに沿って際根太９（または根太ユニット）を設け、その上に床パネル７の一辺を支持する。この床パネル７にはあらかじめその２個所の孔６にあわせて２個のユニット支持脚１０を裏側から取り付けておく。際根太に接しない床パネル７の他の縁部は、約４５０ｍｍのピッチで基礎床（コンクリートスラブ）４上に配置したユニット支持脚１０に片持たせの状態で載せて取り付ける。ユニット支持脚１０と床パネル７の取付は、ユニット支持脚１０の受け板上面に接着した粘着シート１３ａ等を介して行う。ユニット支持脚１０の受け板１３の挿入孔１４は床パネル７の縁部から露出した状態とする。隣り合う床パネルも同様に、２個所の孔６の部分に２個のユニット支持脚１０を取り付け、既に設置したユニット支持脚１０上へ床パネル７のレベル調整ができる所定の間隙を開けて載せ、同様に他のユニット支持脚を配置して取り付ける。床パネル７のレベル（受け板１３の上面位）は、前記挿入孔１４を通してドライバー等の先端を支持ボルト１１ａ上端面に形成された溝１５に嵌め込み、ドライバー等を回して支持ボルト１１ａを回転させることにより調節する。
　【００２１】
　このような作業を床パネルごと繰り返し、部屋の隅など定尺の床パネルが入らない狭い箇所では、際根太を取り付け後、定尺板を加工し、寸法を合わせて、適宜にユニット支持脚を配置して床パネルを全体に敷き詰める。
　その後、敷設された床パネル７全面に捨て張り合板５を敷く。
　【００２２】
　図５は、本発明の置床工法において、孔明け加工されていない床パネル７ａ及び通常の際根太９を用いる場合の施工を示す配置図、図６はその斜視図である。
　図５及び図６に示す置床工法の場合、壁または間仕切り８にそって際根太９（または根太ユニット）を取り付け、その上に床パネル７ａの一辺を載置する。その後、床パネル７ａの縁部所定箇所のみをユニット支持脚により支持する以外は、上記図１及び図４に示す実施例と同様に床パネルの敷設を行う。
　【００２３】
　図７は本発明の置床工法に際根太施工を採用した例を示しており、壁または間仕切り８の必要な床高の位置に、際根太９を釘１７等で固定し、この際根太９を支持するための束１６を適当な間隔でコンクリートスラブ４と際根太９との間に挿入し、固定し、この際根太９の上に壁または間仕切りから適当な隙間をあけて床パネル７ａの一辺を載置、固定し、床パネルの他方の縁部に予めユニット支持脚１０を取りつけて床パネル７ａが水平になるように高さ調節しておき、その後同様な作業で順次床パネル７ａを敷き込み、高さを調節しながら、反対側の壁または間仕切りに取り付けられた際根太上にも同様に床パネルを載置、固定する。このようにして床パネルを敷設した後に、必要に応じて床パネル７ａとユニット支持脚１０の受け板１３とを釘等で固定後、全ての床パネルを覆うように捨て張り合板５を敷きつめて床下地とする。なお、この床下地上に貼る床仕上材の種類（例えば厚い絨緞等）によっては捨て張り合板を敷かない場合もある。
　【００２４】
　図９乃至図１１は本発明の置床工法において、上下調節可能な支持脚を有する根太ユニットを使用した場合の例を示すものである。
　図８は本発明に係る根太ユニットの１本の構造を示している。この根太ユニット１８は、木材またはその他の材質からなる横長根太１９の離間した少なくとも２個所に縦方向に貫通孔２３をあけ、この貫通孔２３の下部にナット２０を嵌合、固定し、このナット２０を介して貫通孔に支持ボルト（支持脚）２１の上端部を螺合する。
　支持ボルト２１の下端は必要に応じて充分の強度を有するゴム製台座２２に回動自在に取り付け、あるいはゴム台座を取り付けないものとする。支持ボルト２１の上端面にはマイナス溝が設けてある。貫通孔２３上部より回転用工具先端を挿入して上記マイナス溝に嵌め込み、支持ボルト２１を回転させることにより根太上面を必要とする高さに調節することができる。
　【００２５】
　図９は図８に示す根太ユニットを使用する置床工法の現場における一実施例の配置図である。
　図１０は図９におけるＡ−Ａ矢視方向の断面図である。
　図１１は図９、図１０を含む置床工法の完成時における全体斜視図を示している。
　現場における施工では、図１０、図１１に示すように、根太ユニット１８を壁または間仕切り８から少し離して基礎床（コンクリートスラブ）４の床面上に置き、設定された高さに調節後、次の根太ユニット１８を最初においた根太ユニットから適当な間隔をおいて載置し、順次同じ作業を繰り返し行っていく。
　根太ユニット１８は、その各々のユニットの間隔等を調整してできるかぎり現場での加工をなくし、壁または間仕切り際の基礎床面上に適当に配置される。その後は、前記置床工法の際根太施工（図７）後と同様の工程で、床パネルを根太ユニットに固定し、順次床パネルを敷設し、ユニット支持脚にて支持しながら高さ調節を行い、全ての床パネル敷設後、その上に捨て張り合板を壁または間仕切り際に接するように敷きつめて床下地を構成する。
　【００２６】
　ここで根太ユニット１８の根太１９と壁または間仕切り８との間に緩衝材、接着剤等を使用することも可能となる。この際の緩衝材としては、発泡性樹脂または柔軟性樹脂の両面に粘着剤を塗布したもの、もしくは緩衝性の両面接着性テープ等が使用でき、これらの片面を予め根太１９に貼った根太ユニット１８を使用すれば現場での手間を極度に省くことができる。
　この根太ユニットは、本実施例で述べたユニット支持脚と定尺長方形パネル群とを組み合わせて行う乾式置床工法への適用以外に、在来の乾式置床工法においても応用することができる。
　【００２７】
　【発明の効果】
　本発明は以上説明したように構成されているので、以下に記載のような効果を奏する。
（１）床パネルを極めて簡単にしかも安定性、作業性よく敷設することができ、工期を大幅に短縮できる。また床パネルの床面レベルの調節は、床パネル間の間隙を通して回転工具先端を上記支持ボルト上端面の溝部に嵌め込み、支持ボルトを回転させることによってユニット支持脚の受け板の高さを調節することにより行われ、極めて簡単な作業によって敷設された床パネルの高さレベルを一定に調整することができる。
　【００２８】
（２）大きな定尺長方形板材をそのまま切断しないで床パネルとして使用でき、また加工する場合でも床パネルの加工は２箇所の孔明け加工のみでよいから、材料費、コストの低減が計れる。また、施工にあたっても１枚の床パネルの面積が広いことにより、従来の半分の手間で置床作業ができ、工期の短縮、施工費の低減が計れる。
（３）
根太ユニット
（４）床パネル間の辺縁部を比較的に短い間隔（約４５０ｍｍ）で支持ブロックで支えることにより、あるいはまた床パネルの中心線上の孔の部分をユニット支持脚で支えることにより、従来のものに比しても充分な強度と安定性をもたせることができる。
（５）床パネルを全体的に敷設した後においても、ユニット支持脚の支持ボルト上端面が隣接する床パネル間の間隙部に露出し、床面レベルの調整が可能である。
（６）上記（１）〜（５）より、コストが安価で工期の短縮が図られ、しかも強度と安定性にすぐれた床を施工できる。
　【００２９】
（７）床パネル１枚の面積が広く、床パネル１枚あたりのユニット支持脚の数が多くなるために床パネルの安定性の向上が期待できる。
（８）根太ユニットを使用することにより、壁または間仕切り際における床の必要かつ充分な強度が得られる。
（９）上下調節可能な支持脚を有する根太ユニットを使用することにより、現場における際根太のわずらわしい加工や作業手間を簡略化し、施工性を向上し、工期の短縮とコスト節減が達成できる。
（１０）ゴム台座を有する根太ユニットを用い、あるいは根太ユニットの根太と壁または間仕切りとの間に緩衝材を介在させることにより、従来の壁または間仕切りにおける根太による床衝撃音の伝達を緩和できる。
（１１）根太ユニットは、際根太施工法だけでなく、床先行工法の間仕切りの下地として使用することも可能となり、充分な強度をもった間仕切りの下地の施工ができる。
（１２）壁先行工法では、根太ユニットが壁または間仕切りに釘等で固定されないので、床は床として独立した床を構成することができ、将来の間仕切り変更等の改修工事も容易となるように発展させうる。
【図面の簡単な説明】
　【図１】
　本発明の置床工法の一実施例を示すものであり、現場における置床の形態を示す斜視図である。
　【図２】
　床パネルの寸法規格の例を示す平面図である。
　【図３】
　ユニット支持脚の斜視図である。
　【図４】
　床パネルとユニット支持脚の配置形態を示す平面図である。
　【図５】
　通常の際根太及び孔明け加工を施していない床パネルを用いる場合の本発明の置床工法の他の実施例を示し、床パネルとユニット支持脚の配置形態を示す平面図である。
　【図６】
　図５に示す実施例の現場における置床の形態を示す斜視図である。
　【図７】
　本発明の置床工法において通常の際根太を用いて組み立てる場合の現場における施工例を示す部分断面図である。
　【図８】
　本発明の置床工法に用いる根太ユニットの一実施例を示す部分破断斜視図である。
　【図９】
　根太ユニットを用いた本発明の置床工法の別の実施例を示し、根太ユニット、床パネル及びユニット支持脚の配置形態を示す平面図である。
　【図１０】
　図９におけるＡ−Ａ矢視断面図である。
　【図１１】
　本発明による根太ユニットを用いた置床工法の完成時における一実施形態を示す全体斜視図である。
　【図１２】
　置床工法の従来例を示すものであり、床ユニットの斜視図である。
　【図１３】
　図１２に示す床ユニットの現場における置床形態を示す斜視図である。
　【図１４】
　別の従来例の床ユニットの置床形態を示す部分斜視図である。
　【図１５】
　際根太を使用する置床工法の現場における施工例を示す部分断面図である。
　【符号の説明】
　１，７，７ａ　床パネル、２　支持脚、３　床ユニット、４　基礎床（コンクリートスラブ）、５　捨て張り合板、６　円形孔、８　壁または間仕切り、９　際根太、１０　ユニット支持脚、１１　棒状脚部、１１ａ　支持ボルト、１２　防振台座、１３　受け板、１４　挿入孔、１５　マイナス溝、１６　束、１７　釘、１８　根太ユニット、１９　横長根太、２０　ナット、２１　支持ボルト、２２　ゴム台座、２３　貫通孔。